(57)【要約】【課題】レジスト位置調整の手間が少ない画像形成装置を提供すること。【解決手段】複合機は、コピー処理、スキャナ処理、プリント処理毎に基準位置から画データの書き込み位置までのずれ又は読み込み位置までのずれを調整する調整値を含む第１〜第３データテーブルを作成し、レジ調整用メモリに記憶した。そして、コピー処理における調整値は、出力部による基準位置から画データの書き込み位置までのずれと読取部による基準位置から画データの読み込み位置までのずれを含むようにした。【選択図】        図３
2004325515.tif 000002
【特許請求の範囲】
【請求項１】
コピー処理、スキャナ処理、プリント処理を行う画像形成装置において、各種処理毎に基準位置から画データの書き込み位置までのずれ又は読み取り位置までのずれを調整する調整値を記憶した画像形成装置。
【請求項２】
前記コピー処理における調整値は、出力部による基準位置から画データの書き込み位置までのずれと読取部による基準位置から画データの読み込み位置までのずれを含む請求項１記載の画像形成装置。
【請求項３】
記録紙を出力部に給紙するカセット毎に調整値を記憶した請求項１又は２記載の画像形成装置。
【発明の詳細な説明】
【０００１】
【発明の属する技術分野】
本発明は、画像形成装置に関するものである。
【０００２】
【従来の技術】
従来、デジタル複合機において、画データを印刷する場合、機械的なずれにより、潜像位置と記憶紙との位置ずれが生じるため、画データを書き込み始める位置を調整するレジスト調整が必要であった（例えば、特許文献１）。
【０００３】
【特許文献１】
特開平７−１６２６０８号公報
【０００４】
【発明が解決しようとする課題】
ところで、位置ずれの原因は、記録紙を収容するカセットの位置のずれによるもの、読み取り位置のずれによるもの、書き込み位置のずれによるもの等、様々な要因がある。このため、例えば、読取部の読み取り位置だけを調整してもコピー処理においては書き込み位置のずれが生じるなど、ある特定のずれだけを調整してもある処理においては位置ずれが生じるため、装置全体について完全に調整をしなくてはならず、手間がかかっていた。
【０００５】
本発明は上記問題点を解決するためになされたものであって、その目的は、レジスト位置を調整する手間が少ない画像形成装置を提供することにある。
【０００６】
【課題を解決するための手段】
上記目的を達成するために、請求項１に記載の発明は、コピー処理、スキャナ処理、プリント処理を行う画像形成装置において、各種処理毎に基準位置から画データの書き込み位置までのずれ又は読み込み位置までのずれを調整する調整値を記憶した。
【０００７】
請求項２に記載の発明は、前記コピー処理における調整値は、出力部による基準位置から画データの書き込み位置までのずれと読取部による基準位置から画データの読み込み位置までのずれを含む。
【０００８】
請求項３に記載の発明は、記録紙を出力部に給紙するカセット毎に調整値を記憶した。
【０００９】
【発明の実施の形態】
以下、本発明を具体化した一実施形態を図面に従って説明する。
図１に示すように、画像形成装置としての複合機１は、ＭＰＵ１０、ＲＯＭ２０、ＲＡＭ３０、読取部４０、出力部５０、操作部６０、表示部７０、画像メモリ８０、レジ調整用メモリ８１、コーデック９０、モデム１００及びＮＣＵ１１０から構成される。それとともに、各部がバス１３０を介してそれぞれ接続されている。
【００１０】
ＭＰＵ１０は、複合機１を構成する各部を制御する。ＲＯＭ２０は、複合機１を制御するための各種プログラムを記憶する。このＲＯＭ２０には、位置ずれを調べるためのテストデータが記憶されている。ＲＡＭ３０は、複合機１に関する各種情報を一時的に記憶する。
【００１１】
読取部４０は、原稿上の画像データを読み取って、白黒２値のイメージデータを出力する。読取部４０は、自動原稿送り装置４１（以下、ＡＤＦ４１という）、フラットベッドスキャナ４２（以下、ＦＢＳ４２という）を備える。
【００１２】
出力部５０は、電子写真方式のプリンタよりなり、受信画データや、コピー動作において読取部４０で読み取った原稿の画データを記録紙上に記録する。また、出力部５０は、記録紙を収容し、該記録紙を必要に応じて出力部５０に給紙するカセット（本実施形態では、第１カセット５１〜第４カセット５４の４つ）を備えている。尚、本実施形態では、第１カセット５１〜第４カセット５４の４つ備えたが、いくつでも良い。また、大容量カセット、手差しユニット、両面ユニット等を備えても良い。
【００１３】
操作部６０は、ＦＡＸモード、コピーモードやインターネットモード等に設定するためのモードキー６１、短縮番号、ＵＲＬやメールアドレス等の登録又は短縮番号から発信するための短縮キー６２、予め登録したＦＡＸ番号、ＵＲＬやメールアドレスをワンタッチで指定するためのワンタッチキー６３を備えている。また、操作部６０は、電話番号、コピー部数、ＵＲＬやメールアドレス等を入力するためのテンキー（＊，＃キーを含む）６４、原稿の読み取り動作を開始させるためのスタートキー６５等の各種操作キーも備えている。ＬＣＤ等よりなる表示部７０は、複合機１の動作状態等の各種情報の表示を行う。
【００１４】
画像メモリ８０は、受信画データや読取部４０で読み取られた画データを一時的に記憶する。コーデック９０は、読取部４０で読み取った画データを送信のためにＭＨ，ＭＲ，ＭＭＲ方式等により符号化（エンコード）する。また、コーデック９０は、受信画データを復号（デコード）する。
【００１５】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。また、モデム１００は、ダイアルアップ接続サービスを提供するＩＳＰ（Ｉｎｔｅｒｎｅｔ  Ｓｅｒｖｉｃｅ  Ｐｒｏｖｉｄｅｒ  ）との間で送受信データを行うための機能、例えばＩＴＵ−Ｔ勧告Ｖ．９０等に従った送受信データの変調及び復調も行う。
【００１６】
ＮＣＵ１１０は、電話回線Ｌとの接続を制御するとともに、相手先の電話番号に対応したダイヤル信号の送出及び着信を検出するための機能を備えている。
レジ調整用メモリ８１は、各種処理毎にレジスト調整をするための調整値に関する情報を記憶する。つまり、レジ調整用メモリ８１は、複合機１が各種処理する際に基準位置となる原稿に対して読み取り位置をどれだけ移動させればよいのか、又は基準位置となる記録紙に対して書き込み位置をどれだけ移動させればよいのかについての情報を記憶している。
【００１７】
詳しくは、レジ調整用メモリ８１は、コピー処理する際の調整値が含まれる第１データテーブル８２と、スキャナ処理する際の調整値が含まれる第２データテーブル８３と、プリント処理する際の調整値が含まれる第３データテーブル８４を記憶している。
【００１８】
図２（ａ）に示す第１データテーブル８２を構成する調整値は、コピー処理をする際に、記録紙に対して画データを書き込む位置をどれだけ移動させるかについての値である。コピー処理においては、読取部４０による原稿の画データを読み込む位置のずれと、出力部５０による記録紙に画データを書き込む位置のずれとによって、原稿の画データと、コピー処理の結果として得られる記録紙に書き込まれる画データとの位置がずれる。従って、読み取り位置のずれを含ませて書き込む位置を一括して調整すれば、コピー処理におけるずれが最終的になくなる。つまり、コピー処理において、読み取り位置のずれを考慮した上で、書き込む位置のずれを調整する値を第１データテーブル８２に含まれる調整値としている。例えば、読取部４０においては、その読み取り位置が「右に３ｍｍ」のずれがあり、出力部５０においては、その書き込み位置が「左に２ｍｍ」のずれがある場合、コピー処理においては「右に１ｍｍ」だけ書き込み位置をずらせば記録紙に対するずれがなくなる。従って、この「右に１ｍｍ」という値が第１データテーブル８２に含まれる調整値となる。
【００１９】
また、読取部４０においては、読取部４０がどのような手段にて原稿の画データを読み取るのかで調整値が異なる。即ち、ＡＤＦ４１にて原稿の画データを読み取った場合と、ＦＢＳ４２にて原稿の画データを読み取った場合とでは、読み取り位置のずれが異なる。また、同様に、出力部５０においては、出力部５０がどのカセット５１〜５４から記録紙が供給されたかで調整値が異なる。即ち、第１カセット５１と第２カセット５２ではその設置位置により供給される記録紙の位置が異なるので、第１カセット５１から供給された記録紙に画データを書き込んだ場合と、第２カセット５２から供給された記録紙に画データを書き込んだ場合とでは、書き込み位置のずれが異なる。このため、第１データテーブル８２においては、読取部４０でどのような手段で原稿の画データを読み込んだかにより調整値を変更しており、また、出力部５０でどのカセット５１〜５４から給紙したかにより調整値を変更している。例えば、図２（ａ）に示す第１データテーブル８２においては、コピー処理をする際に、ＡＤＦ４１にて原稿の画データで読み取り、第２カセット５２から給紙し、印刷した場合には、「右に４ｍｍ」だけ書き込み位置を移動させるということになる。
【００２０】
このように、出力部５０においては、第１〜第４カセット５１〜５４毎に調整値を設定したので、従来のように第１〜第４カセット５１〜５４の設置位置による記録紙への書き込み位置の誤差が生じなくなる。また同様に、読取部４０においては、読み取り手段毎に調整値を設定したので、読み取り手段の違いによる誤差が生じなくなる。
【００２１】
図２（ｂ）に示す第２データテーブル８３を構成する調整値は、スキャナ処理をする際に、原稿の画データの読み取り位置をどれだけ移動させるかについての値である。尚、コピー処理の場合と同様に、読取部４０においては、読取部４０がどのような手段にて読み取るのかで、調整値が異なる。このため、スキャナ処理において、読み取り手段ごとに調整値を設定したので、読み取り手段の違いによる読み取り位置の誤差が生じなくなる。
【００２２】
図２（ｃ）に示す第３データテーブル８４を構成する調整値は、プリント処理をする際に、記録紙に対する画データの書き込み位置をどれだけ移動させるかについての値である。尚、コピー処理の場合と同様に、出力部５０においては、出力部５０がどのカセット５１〜５４から給紙されたかで調整値が異なる。このため、プリント処理において、カセット５１〜５４毎に調整値を設定したので、従来のようにカセット５１〜５４の設置位置による記録紙への書き込み位置の誤差が生じなくなる。
【００２３】
尚、本実施形態では、処理毎に３つのデータテーブル８２〜８４を設けたが、複合機１の使用態様により、どれか１つのデータテーブル８２〜８４だけでもよい。例えば、コピー処理だけを主に使用する場合、又は、コピー処理における位置ずれだけは許容できないが他の処理における位置ずれは許容できる場合は、第１データテーブル８２だけでも良い。このようにすれば、調整値を設定する手間を省くことが可能となる。
【００２４】
また、例えば、読取部４０において、主にＡＤＦ４１でしか原稿の画データを読み取らない場合、又はＦＢＳ４２における誤差は許容できてもＡＤＦ４１による読み取り位置の誤差は許容できない場合には、ＦＢＳ４２における調整値は設定しなくても良い。また、例えば、出力部５０において、第２〜第４カセット５２〜５４から給紙された記録紙における誤差は許容できても第１カセット５１から給紙された記録紙における書き込み位置の誤差は許容できない場合には、第２〜第４カセット５２〜５４における調整値は設定しなくても良い。このようにすれば、調整する手間を省くことが可能となる。
【００２５】
コピー処理における調整値の設定方法について説明する。図３に示すように出力部５０にて、テストデータを記録紙に印刷して（ステップＳ１）、その記録紙の画データを読取部４０にて読み込む（ステップＳ２）。その際、読取部４０にて得られた画データが、テストデータとどれだけ誤差があるかを調べることで、コピー処理における調整値を設定し、その調整値をレジ調整用メモリ８１に記憶する（ステップＳ３）。
【００２６】
従来では、出力部５０において、記録紙に対する画データの書き込み位置を合わせてから、読取部４０において、原稿の画データの読み取り位置を合わせることで、コピー処理する際における記録紙に対する画データのずれをなくしていた。しかし、第１データテーブル８２には、読み取り位置のずれを含ませて書き込む位置を移動させる値が調整値として含まれており、複合機１は、この調整値を使って読取部４０の読み取り位置の調整を行わずにコピー処理における画データの書き込み位置のみを調整する。従って、コピー処理における画データの位置ずれを調整するためだけに、出力部５０と読取部４０とを別々に調整値を設定する必要がなくなり、調整値を設定する際の手間がなくなる。尚、調整値は、読取部４０における読み取り手段の違い及び出力部５０に給紙する第１〜第４カセット５１〜５４の違いにより、その値が異なるのでそれぞれについて調整値を設定する。
【００２７】
スキャナ処理における調整値を設定する場合、図４に示すように、操作部６０を操作して読取部４０にて原稿のテストデータを読み込み（ステップＳ４）、その画データとテストデータとのずれを調整するように調整値を設定し、その調整値をレジ調整用メモリ８１に記憶する（ステップＳ５）。尚、この際、読み取り手段で、読み取り位置のずれが異なるので、ＡＤＦ４１、ＦＢＳ４２それぞれ別々に調整値を設定する。また、複合機１の使用態様により、調整しなくてはならない読み取り手段が決まっていればどちらか一方でもよい。
【００２８】
プリント処理における調整値を設定する場合、図５に示すように、操作部６０を操作して出力部５０にてテストデータを印刷し（ステップＳ６）、その書き込み位置の誤差を修正する調整値を設定し、その調整値をレジ調整用メモリ８１に記憶する（ステップＳ７）。尚、この際、記録紙がどのカセット５１〜５４から供給されたかにより、調整値が異なるの、第１〜第４カセット５１〜５４それぞれ別々に調整値を設定する。
【００２９】
次に、各種処理における書き込み位置又は読み取り位置のずれの調整方法について説明する。
コピー処理において、複合機１は、読取部４０でどのような手段で画データを読み取り、出力部５０でどのカセット５１〜５４から記録紙が給紙されたかにより、第１データテーブル８２から調整値を決定し、画データの読み取り位置の調整を行わずに画データの書き込み位置を変更する。
【００３０】
スキャナ処理において、複合機１は、読取部４０でどのような手段で画データを読み取ったかにより、第２データテーブル８３から調整値を決定し、画データの読み取り位置を変更する。
【００３１】
プリント処理において、複合機１は、どのカセット５１〜５４から記録紙が給紙されたかにより、第３データテーブル８４から調整値を決定し、画データの書き込み位置を変更する。
【００３２】
以上詳述したように、各種処理毎に調整値を設定し、コピー処理の際使用される調整値を読み取り位置のずれを考慮した上で書き込む位置のずれを調整する値にした。このため、例えば、コピー処理における位置ずれだけは許容できないが他の処理における位置ずれは許容できる場合は、読取部４０と出力部５０とを別々に調整しなくても、第１データテーブル８２の調整値を使用すればコピー処理においては記録紙に対して正確に印刷できる。従って、複合機１全体を調整する必要がなくなり、調整値設定の手間を省くことが可能となる。また、第１〜第４カセット５１〜５４毎に調整値を設定したので、第１〜第４カセット５１〜５４の配置による誤差がなくなる。
【００３３】
【発明の効果】
以上詳述したように、本発明によれば、レジスト位置を調整する手間が少ない画像形成装置を提供することができる。
【図面の簡単な説明】
【図１】複合機の構成を示すブロック図。
【図２】（ａ）は第１データテーブルの説明図、（ｂ）は第２データテーブルの説明図、（ｃ）は第３データテーブルの説明図。
【図３】コピー処理における調整値の設定方法を示すフローチャート。
【図４】スキャナ処理における調整値の設定方法を示すフローチャート。
【図５】プリント処理における調整値の設定方法を示すフローチャート。
【符号の説明】
１…複合機、４０…読取部、４１…ＡＤＦ、４２…ＦＢＳ、５０…出力部、５１…第１カセット、５２…第２カセット、５３…第３カセット、５４…第４カセット、８１…レジ調整用メモリ、８２…第１データテーブル。
【図１】
2004325515.tif 000003
【図２】
2004325515.tif 000004
【図３】
2004325515.tif 000005
【図４】
2004325515.tif 000006
【図５】
2004325515.tif 000007